Podtech/llm-jp-corpus-v4-ja_patent huggingface dataset:
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
中央部分と、第１の縁部分と、前記第１の縁部分の反対側の第２の縁部分と、前記第１の縁部分及び前記第２の縁部分の両方に直交する張力方向と、を有する張力面と、
前記張力面の第１の表面上の前記第１の縁部分に隣接する第１の波形表面を有する第１のニップホイールと、
前記第１の表面の反対側の前記張力面の第２の表面上の前記第１の縁部分に隣接する第２の波形表面を有する第２のニップホイールと、を備え、
前記第１の波形表面と前記第２の波形表面とは、少なくとも部分的に互いに噛み合う、ウェブテンショナー。
【請求項２】
前記張力面の第１の表面上の前記第２の縁部分に隣接する第３の波形表面を有する第３のニップホイールと、
前記第１の表面の反対側の切断面の第２の表面上の前記第２の縁部分に隣接する第４の波形表面を有する第４のニップホイールと、を更に備え、
前記第３の波形表面と前記第４の波形表面とは、少なくとも部分的に互いに噛み合う、請求項１に記載のウェブテンショナー。
【請求項３】
中央部分と、第１の縁部分と、前記第１の縁部分の反対側の第２の縁部分と、前記第１の縁部分及び前記第２の縁部分の両方に直交する張力方向と、を有する張力面と、
前記張力面の第１の表面上の前記第１の縁部分に隣接する第１の波形表面を有する第１のニップホイールと、
前記第１の表面の反対側の切断面の第２の表面上の前記第１の縁部分に隣接する第２の波形表面を有する第２のニップホイールと、
前記中央部分を切断するよう配置される少なくとも１つの切断デバイスと、を備え、
前記第１の波形表面と前記第２の波形表面とは、少なくとも部分的に互いに噛み合う、ウェブスリッター。
【請求項４】
ウェブに側方張力を付与する方法であって、
ウェブ下方向に移動するウェブを懸架する工程であって、前記ウェブは、中央部分と、第１の縁部分と、前記第１の縁部分の反対側の第２の縁部分と、を有する、工程と、
第１のニップホイールの第１の波形表面を、前記ウェブの第１の表面上の前記第１の縁部分に隣接して配置する工程であって、前記第１のニップホイールは、第１の軸線を有する、工程と、
第２のニップホイールの第２の波形表面を、前記ウェブの第２の表面上の前記第１の縁部分に隣接して配置する工程であって、前記第２のニップホイールは、前記第１の軸線に平行な第２の軸線を有する、工程と、
第３のニップホイールの第３の波形表面を、前記ウェブの前記第１の表面上の前記第２の縁部分に隣接して配置する工程であって、前記第３のニップホイールは、第３の軸線を有する、工程と、
第４のニップホイールの第４の波形表面を、前記ウェブの前記第２の表面上の前記第２の縁部分に隣接して配置する工程であって、前記第４のニップホイールは、前記第３の軸線に平行な第４の軸線を有する、工程と、
前記第１のニップホイールを前記第１の軸線の周囲に回転させるように駆動すること、および、前記第２のニップホイールを前記第２の軸線の周囲に回転させるように駆動することのうちの少なくとも一方を行う工程と、
前記第３のニップホイール及び第４のニップホイールのうちの少なくとも一方を駆動して、前記第３のニップホイールを前記第３の軸線の周囲に回転させ、前記第４のニップホイールを前記第４の軸線の周囲に回転させる、工程と、
前記第１の波形表面を前記第２の波形表面と互いに噛み合わせ、前記第３の波形表面を前記第４の波形表面と互いに噛み合わせることにより、前記ウェブの前記中央部分に側方張力を付与する工程と、を含む、方法。
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
軸線を有するシャフトと、
前記シャフトに環状に接触している第１柔軟性材料と、
積層された複数の環状リングと、を備え、
前記環状リングの各々は、
前記第１柔軟性材料に少なくとも部分的に接触している内側縁部と、
前記軸線と同心の外側縁部と、を有する、改良接触ニップロール。
【請求項２】
ウェブを挟むためのシステムであって、
ニップロールと、
前記ニップロールと平行に配置され、ニップラインを形成する第２ロールと、を備え、
前記ニップロールは、
軸線を有するシャフトと、
前記シャフトに環状に接触している第１柔軟性材料と、
積層された複数の環状リングと、を有し、
前記環状リングの各々は、
前記第１柔軟性材料に少なくとも部分的に接触している内側縁部と、
前記軸線と同心である外側縁部と、を含み、
前記第２ロールは、前記ニップラインにおいて前記軸線から一定距離だけ変位された外側表面を有し、
前記第２ロール、および前記複数の環状リングの外側縁部の双方に接触しているウェブは、前記ニップラインにおいて、前記積層された複数の環状リングのうちの少なくとも１つの外側縁部を、放射方向に変位させることができる、システム。
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
次の式Ｉの化合物を得るための方法であって、
【化１】
2013507343.tif 000001
（式中、
Ｒ1は水素であって、Ｒ2は18Ｆであり、
Ｒ3はＣ3-5複素環であるか、或いはＲ3はＣ（＝Ｏ）−Ｏ−Ｒ4（式中、Ｒ4は水素又は直鎖若しくは枝分れＣ1-4アルキルである。）である。）
（ｉ）次の式Ｉａの前駆体化合物を用意する段階、及び
【化２】
2013507343.tif 000002
（式中、
Ｒ11は水素であって、Ｒ12は、ニトロ、トリ−Ｃ1-3アルキルアンモニウム及び−Ｉ+−Ａｒ（式中、Ａｒは１以上のＲ*基で置換されたフェニルであり、Ｒ*は水素、ニトロ、シアノ、ハロゲン、Ｃ1-10ヒドロキシアルキル、Ｃ2-10カルボキシアルキル、Ｃ1-10アルキル、Ｃ2-10アルコキシアルキル、Ｃ1-10ヒドロキシアルキル、Ｃ1-10アミノアルキル、Ｃ1-10ハロアルキル、Ｃ6-14アリール、Ｃ3-12ヘテロアリール、Ｃ3-20アルキルアリール、Ｃ2-10アルケニル及びＣ2-10アルキニルから選択される。）から選択される脱離基であり、
Ｒ13は式ＩのＲ3に関して定義した通りである。）
（ｉｉ）前記前駆体化合物を適当な［18Ｆ］フッ化物イオン源と反応させる段階
を含んでなる方法。
【請求項２】
Ｒ12がトリメチルアンモニウムである、請求項１記載の方法。
【請求項３】
Ｒ12が−Ｉ+−Ａｒである、請求項１記載の方法。
【請求項４】
Ｒ12がニトロである、請求項１記載の方法。
【請求項５】
Ｒ3及びＲ13が独立にＣ（＝Ｏ）−Ｏ−Ｒ4（式中、Ｒ4は直鎖又は枝分れＣ1-4アルキルである。）である、請求項１乃至請求項４のいずれか１項記載の方法。
【請求項６】
Ｒ4がエチル、イソプロピル又はｔｅｒｔ−ブチルである、請求項５記載の方法。
【請求項７】
前記適当な［18Ｆ］フッ化物イオン源が［18Ｆ］フッ化カリウム及び［18Ｆ］フッ化セシウムから選択される、請求項１乃至請求項６のいずれか１項記載の方法。
【請求項８】
前記適当な［18Ｆ］フッ化物イオン源が［18Ｆ］フッ化カリウムであり、Ｋｒｙｐｔｏｆｉｘ（商標）を用いてフッ化物イオンが活性化される、請求項７記載の方法。
【請求項９】
さらに、
（ｉｉｉ）過剰の［18Ｆ］フッ化物イオンを除去する段階、及び／又は
（ｉｖ）存在する場合には保護基を除去する段階、及び／又は
（ｖ）有機溶媒を除去する段階、及び／又は
（ｖｉ）得られた化合物を生体適合性キャリヤーと共に製剤化して、哺乳動物への投与に適した放射性医薬組成物を得る段階
を含む、請求項１乃至請求項８のいずれか１項記載の方法。
【請求項１０】
当該方法が自動化される、請求項１乃至請求項９のいずれか１項記載の方法。
【請求項１１】
請求項１０記載の方法を実施するためのカセットであって、
（ｉ）請求項１乃至請求項６のいずれか１項記載の方法で定義された前駆体化合物を含む容器、並びに
（ｉｉ）請求項１、請求項７又は請求項８で定義された適当な［18Ｆ］フッ化物イオン源を用いて容器を溶出するための手段
を含んでなるカセット。
【請求項１２】
請求項１記載の方法で定義された式Ｉの化合物であって、Ｒ1が水素であり、Ｒ2が18Ｆであり、Ｒ4がエチル、イソプロピル又はｔｅｒｔ−ブチルである、式Ｉの化合物。
【請求項１３】
請求項１記載の方法で定義された式Ｉａの前駆体化合物であって、Ｒ12がニトロ、トリメチルアンモニウム又は−Ｉ+−Ａｒである、式Ｉａの前駆体化合物。
【請求項１４】
Ｒ12がニトロである、請求項１３記載の前駆体化合物。
【請求項１５】
Ｒ13がＣ（＝Ｏ）−Ｏ−Ｒ4（式中、Ｒ4はエチル、イソプロピル又はｔｅｒｔ−ブチルである。）である、請求項１３又は請求項１４記載の前駆体化合物。
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
次の式Ｉの放射性フッ素化化合物。
【化１】
2013507345.tif 000001
（式中、
Ｒ1及びＲ2の一方はＣ1-4［18Ｆ］フルオロアルキル又はＣ1-4［18Ｆ］フルオロアルコキシであって、他方は水素であり、
Ｒ3はＣ（＝Ｏ）−Ｏ−Ｒ4（式中、Ｒ4は水素又は直鎖若しくは枝分れＣ1-4アルキルであるか、或いはＲ4はＣ3-5複素環である。）である。）
【請求項２】
Ｒ1及びＲ2の一方がＣ1-4［18Ｆ］フルオロアルコキシである、請求項１記載の放射性フッ素化化合物。
【請求項３】
Ｒ3がＣ（＝Ｏ）−Ｏ−Ｒ4（式中、Ｒ4は直鎖Ｃ1-4アルキルである。）である、請求項１又は請求項２記載の放射性フッ素化化合物。
【請求項４】
Ｒ3がＣ（＝Ｏ）−Ｏ−Ｒ4（式中、Ｒ4は枝分れＣ1-4アルキルである。）である、請求項１又は請求項２記載の放射性フッ素化化合物。
【請求項５】
請求項１乃至請求項４のいずれか１項記載の放射性フッ素化化合物の合成方法であって、次の式Ｉａの前駆体化合物を適当な18Ｆ供給源と反応させる段階を含んでなる方法。
【化２】
2013507345.tif 000002
（式中、
Ｒ1a及びＲ2aの一方は前駆体基であって、他方はＨであり、Ｒ1aが前駆体基である場合にそれはＣ1-4アルキル−ＬＧ、Ｃ1-4アルコキシル−ＬＧ及びヒドロキシルから選択され、Ｒ2aが前駆体基である場合にそれはＣ1-4アルキル−ＬＧ及びＣ1-4アルコキシル−ＬＧから選択され、ＬＧはブロミド、メシレート及びトシレートから選択される脱離基であり、
Ｒ3aは請求項１、請求項３又は請求項４でＲ3に関して定義した通りである。）
【請求項６】
Ｒ1aが前記前駆体基である、請求項５記載の方法。
【請求項７】
当該方法が自動化される、請求項５又は請求項６記載の方法。
【請求項８】
請求項７記載の方法を実施するためのカセットであって、
（ｉ）請求項５又は請求項６記載の方法で定義された式Ｉａの前駆体化合物を含む容器、及び
（ｉｉ）適当な18Ｆ供給源を用いて容器を溶出するための手段
を含んでなるカセット。
【請求項９】
請求項１乃至請求項４のいずれか１項記載の放射性フッ素化化合物を、哺乳動物への投与に適した形態の生体適合性キャリヤーと共に含んでなる放射性医薬組成物。
【請求項１０】
ＰＥＴイメージング方法で使用するための、請求項１乃至請求項４のいずれか１項記載の放射性フッ素化化合物。
【請求項１１】
被験体の中枢神経系（ＣＮＳ）におけるＧＡＢＡA受容体の分布を決定するための陽電子放出断層撮影（ＰＥＴ）イメージング方法であって、
（ｉ）請求項１乃至請求項４のいずれか１項記載の放射性フッ素化化合物を前記被験体に投与する段階、
（ｉｉ）段階（ｉ）で投与した前記放射性フッ素化化合物を前記被験体のＣＮＳ内のＧＡＢＡA受容体に結合させる段階、
（ｉｉｉ）段階（ｉｉ）で結合させた前記放射性フッ素化化合物中に存在する18Ｆの陽電子放出崩壊から導かれる信号を検出する段階、並びに
（ｉｖ）前記信号の位置及び量の画像を形成する段階であって、前記信号が前記被験体におけるＧＡＢＡA受容体の分布を表す段階
を含んでなるＰＥＴ方法。
【請求項１２】
前記放射性フッ素化化合物が請求項９記載の放射性医薬組成物として投与される、請求項１１記載のＰＥＴ方法。
【請求項１３】
前記被験体に関する治療計画の進行中に繰り返して実施される請求項１１又は請求項１２記載のＰＥＴ方法であって、前記治療計画がＧＡＢＡA状態と戦うための薬物の投与を含むＰＥＴ方法。
【請求項１４】
請求項１１記載のＰＥＴ方法を、ＧＡＢＡA発現の分布を特定の臨床像に帰因させる追加段階（ｖ）と共に含んでなる診断方法。
【請求項１５】
請求項１３記載のＰＥＴ方法又は請求項１４記載の診断方法で使用するための、請求項１乃至請求項４のいずれか１項記載の放射性フッ素化化合物。
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
（ａ）スクロース、極性非プロトン性溶媒及び有機スズベースのアシル化促進剤を含む第１の反応混合物を準備する工程と、
（ｂ）前記第１の反応混合物から水を除去して、実質的に水を含まない第２の反応混合物を得る工程と、
（ｃ）前記第２の反応混合物にカルボン酸無水物を添加し、第３の反応混合物を得て、それによりスクロース−６−エステルを生成する工程と
を順に含み、
工程（ｂ）中に前記反応混合物に非極性共溶媒を添加せず、
工程（ｂ）において温度が約８０℃を超えない、方法。
【請求項２】
工程（ｂ）中、水の除去が減圧で前記極性非プロトン性溶媒とともに水を蒸留することを含む、請求項１に記載の方法。
【請求項３】
前記第１の反応混合物及び／又は前記第２の反応混合物が、スクロース、前記極性非プロトン性溶媒、前記有機スズベースのアシル化促進剤及び／又はそれらの反応生成物から本質的になる、請求項１又は２に記載の方法。
【請求項４】
工程（ｃ）中、前記第３の反応混合物を、前記スクロース−６−エステルを生成するのに十分な時間にわたって１０℃以下に維持する、請求項１〜３のいずれか一項に記載の方法。
【請求項５】
工程（ｂ）における温度が約８０℃〜約２０℃である、請求項１〜４のいずれか一項に記載の方法。
【請求項６】
工程（ｂ）における温度が約７８℃〜約３０℃である、請求項１〜５のいずれか一項に記載の方法。
【請求項７】
工程（ｂ）における温度が約７５℃〜約４０℃である、請求項１〜６のいずれか一項に記載の方法。
【請求項８】
工程（ｂ）における温度が約７０℃〜約５０℃である、請求項１〜７のいずれか一項に記載の方法。
【請求項９】
前記極性非プロトン性溶媒がＮ，Ｎ−ジメチルホルムアミドである、請求項１〜８のいずれか一項に記載の方法。
【請求項１０】
前記有機スズベースのアシル化促進剤が１，３−ジ（アシルオキシ）−１，１，３，３−テトラ−（ヒドロカルビル）ジスタンノキサンである、請求項１〜９のいずれか一項に記載の方法。
【請求項１１】
前記有機スズベースのアシル化促進剤が１，３−ジアセトキシ−１，１，３，３−テトラブチルジスタンノキサンである、請求項１〜１０のいずれか一項に記載の方法。
【請求項１２】
前記有機スズベースのアシル化促進剤が１−アシルオキシ−３−ヒドロキシ−１，１，３，３−テトラ−（ヒドロカルビル）ジスタンノキサンである、請求項１〜９のいずれか一項に記載の方法。
【請求項１３】
前記有機スズベースのアシル化促進剤が１−アセトキシ−３−ヒドロキシ−１，１，３，３−テトラブチルジスタンノキサンである、請求項１２に記載の方法。
【請求項１４】
前記カルボン酸無水物が無水酢酸であり、前記スクロース−６−エステルがスクロース−６−アセテートである、請求項１〜１３のいずれか一項に記載の方法。
【請求項１５】
前記カルボン酸無水物が安息香酸無水物であり、前記スクロース−６−エステルがスクロース−６−ベンゾエートである、請求項１〜１１のいずれか一項に記載の方法。
【請求項１６】
バッチプロセスである、請求項１〜１５のいずれか一項に記載の方法。
【請求項１７】
連続プロセスである、請求項１〜１５のいずれか一項に記載の方法。
【請求項１８】
工程（ｃ）の後に、前記スクロース−６−エステルをスクラロースに変換する更なる工程（単数又は複数）を更に含む、請求項１〜１７のいずれか一項に記載の方法。
【手続補正書】
【提出日】平成25年10月3日(2013.10.3)
【手続補正１】
【補正対象書類名】明細書
【補正対象項目名】００３１
【補正方法】変更
【補正の内容】
【００３１】
Ｃｕ／Ｈ 
銅：プロトン原子比は７未満であることが好ましく、４未満であることがより好ましい。より好ましくは、この比率が約０．２５〜約４の範囲である。より好ましくは、この銅：プロトン比が約０．２５〜約２である。このゼオライトのプロトン含量は、Ａｌのモル数−（２×Ｃｕ２＋）のモル数で計算される。
【手続補正書】
【提出日】平成25年10月8日(2013.10.8)
【手続補正１】
【補正対象書類名】特許請求の範囲
【補正対象項目名】全文
【補正方法】変更
【補正の内容】
【特許請求の範囲】
【請求項１】
（ｉ）構造（Ｉ）：
【化１】
2013507382.tif 000001
の化合物またはその薬学的に許容される塩と、
（ｉｉ）構造（ＩＩ）：
【化２】
2013507382.tif 000002
の化合物またはその薬学的に許容される塩と
を含んでなる、組合せ。
【請求項２】
前記構造（Ｉ）の化合物がメタンスルホン酸塩の形態である、請求項１に記載の組合せ。
【請求項３】
請求項１または２に記載の組合せを、薬学的に許容される１つまたは複数の担体と共に含んでなる、組合せキット。
【請求項４】
癌または前癌症候群の治療のための１つまたは複数の薬剤の製造における、請求項１もしくは２に記載の組合せまたは請求項３に記載の組合せキットの使用。
【請求項５】
癌または前癌症候群の治療のための、請求項１〜３のいずれか一項に記載の組合せまたは組合せキット。
【請求項６】
Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミドまたはその薬学的に許容される塩と、Ｎ−｛（１Ｓ）−２−アミノ−１−［（３，４−ジフルオロフェニル）メチル］エチル｝−５−クロロ−４−（４−クロロ−１−メチル−１Ｈ−ピラゾール−５−イル）−２−フランカルボキサミドまたはその薬学的に許容される塩との組合せの治療有効量を含んでなる癌または前癌症候群の治療のための組合せまたは組合せキットであって、前記組合せが一定期間内に投与され、かつ前記組合せが継続期間の間投与される、組合せまたは組合せキット。
【請求項７】
Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミドまたはその薬学的に許容される塩の量が、約１０ｍｇ〜約３００ｍｇから選択され、かつその量が１日１〜３回投与され、Ｎ−｛（１Ｓ）−２−アミノ−１−［（３，４−ジフルオロフェニル）メチル］エチル｝−５−クロロ−４−（４−クロロ−１−メチル−１Ｈ−ピラゾール−５−イル）−２−フランカルボキサミドまたはその薬学的に許容される塩の量が、約１０ｍｇ〜約３００ｍｇから選択され、かつその量が１日１回投与される、請求項６に記載の組合せまたは組合せキット。
【請求項８】
Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミド  メタンスルホン酸塩と、Ｎ−｛（１Ｓ）−２−アミノ−１−［（３，４−ジフルオロフェニル）メチル］エチル｝−５−クロロ−４−（４−クロロ−１−メチル−１Ｈ−ピラゾール−５−イル）−２−フランカルボキサミドまたはその薬学的に許容される塩が、１〜３日間連続で互いに１２時間以内に投与され、次いで、Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミド  メタンスルホン酸塩が、３〜７日間連続で投与される（１サイクル以上の反復投与がこれに続いてもよい）、請求項６に記載の組合せまたは組合せキット。
【請求項９】
Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミドまたはその薬学的に許容される塩の量が、約１０ｍｇ〜約３００ｍｇから選択され、かつその量が１日２回投与され、Ｎ−｛（１Ｓ）−２−アミノ−１−［（３，４−ジフルオロフェニル）メチル］エチル｝−５−クロロ−４−（４−クロロ−１−メチル−１Ｈ−ピラゾール−５−イル）−２−フランカルボキサミドまたはその薬学的に許容される塩の量が、約１０ｍｇ〜約３００ｍｇから選択され、かつその量が１日１回投与される、請求項６に記載の組合せまたは組合せキット。
【請求項１０】
Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミド  メタンスルホン酸塩と、Ｎ−｛（１Ｓ）−２−アミノ−１−［（３，４−ジフルオロフェニル）メチル］エチル｝−５−クロロ−４−（４−クロロ−１−メチル−１Ｈ−ピラゾール−５−イル）−２−フランカルボキサミドまたはその薬学的に許容される塩が、少なくとも７日間連続で投与される、請求項９に記載の組合せまたは組合せキット。
【請求項１１】
Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミド  メタンスルホン酸塩と、Ｎ−｛（１Ｓ）−２−アミノ−１−［（３，４−ジフルオロフェニル）メチル］エチル｝−５−クロロ−４−（４−クロロ−１−メチル−１Ｈ−ピラゾール−５−イル）−２−フランカルボキサミドまたはその薬学的に許容される塩が、少なくとも５日間連続で互いに１２時間以内に投与される、請求項６に記載の組合せまたは組合せキット。
【請求項１２】
Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミド  メタンスルホン酸塩と、Ｎ−｛（１Ｓ）−２−アミノ−１−［（３，４−ジフルオロフェニル）メチル］エチル｝−５−クロロ−４−（４−クロロ−１−メチル−１Ｈ−ピラゾール−５−イル）−２−フランカルボキサミドまたはその薬学的に許容される塩が、少なくとも１０日間連続で投与される、請求項１０に記載の組合せまたは組合せキット。
【請求項１３】
化合物Ｎ−｛３−［５−（２−アミノ−４−ピリミジニル）−２−（１，１−ジメチルエチル）−１，３−チアゾール−４−イル］−２−フルオロフェニル｝−２，６−ジフルオロベンゼンスルホンアミド  メタンスルホン酸塩が、最初に負荷量で１〜３日間投与され、次いで該化合物が維持量で投与され、および／または化合物Ｎ−｛（１Ｓ）−２−アミノ−１−［（３，４−ジフルオロフェニル）メチル］エチル｝−５−クロロ−４−（４−クロロ−１−メチル−１Ｈ−ピラゾール−５−イル）−２−フランカルボキサミドまたはその薬学的に許容される塩が、最初に負荷量で１〜３日間投与され、次いで該化合物が維持量で投与される、請求項６または７に記載の組合せまたは組合せキット。
【請求項１４】
前記癌が、Ｒａｓ／Ｒａｆが野生型または変異体型であり、ＰＩ３Ｋ／ＰＴＥＮが野生型または変異体型である癌である、請求項４に記載の使用または請求項５〜１３のいずれか一項に記載の組合せまたは組合せキット。
【請求項１５】
前記癌が卵巣癌、乳癌、膵臓癌および前立腺癌から選択される、請求項４に記載の使用または請求項５〜１３のいずれか一項に記載の組合せまたは組合せキット。
【手続補正書】
【提出日】平成25年10月8日(2013.10.8)
【手続補正１】
【補正対象書類名】特許請求の範囲
【補正対象項目名】全文
【補正方法】変更
【補正の内容】
【特許請求の範囲】
【請求項１】
進行性核上性麻痺に罹患しているヒト対象を治療するまたは軽減するための医薬組成物であって、対象を治療または軽減するために有効な量のＲ（＋）−Ｎ−プロパルギル−１−アミノインダンまたは薬学的に許容されるその塩を対象に投与することを含む医薬組成物。
【請求項２】
進行性核上性麻痺の症状が、姿勢の不安定、頻繁な転倒、視力障害、言語障害、運動失調、嚥下障害、肺炎、またはうつである請求項１に記載の医薬組成物。
【請求項３】
Ｒ（＋）−Ｎ−プロパルギル−１−アミノインダンまたは薬学的に許容されるその塩の量が１日あたり０．０１ｍｇから２０ｍｇである請求項１または２に記載の医薬組成物。
【請求項４】
Ｒ（＋）−Ｎ−プロパルギル−１−アミノインダンまたは薬学的に許容されるその塩の量が１日あたり０．５ｍｇから５ｍｇである請求項３に記載の医薬組成物。
【請求項５】
Ｒ（＋）−Ｎ−プロパルギル−１−アミノインダンまたは薬学的に許容されるその塩の量が１日あたり２ｍｇである請求項３に記載の医薬組成物。
【請求項６】
Ｒ（＋）−Ｎ−プロパルギル−１−アミノインダンまたは薬学的に許容されるその塩の量が１日あたり１ｍｇである請求項３に記載の医薬組成物。
【請求項７】
Ｒ（＋）−Ｎ−プロパルギル−１−アミノインダンまたは薬学的に許容されるその塩の量が１日あたり０．５ｍｇである請求項３に記載の医薬組成物。
【請求項８】
投与が、Ｒ（＋）−Ｎ−プロパルギル−１−アミノインダンの薬学的に許容される塩の投与である請求項１〜７のいずれか１項に記載の医薬組成物。
【請求項９】
薬学的に許容される塩が、エシレート、メシレート、硫酸塩、クエン酸塩、または酒石酸塩である請求項８に記載の医薬組成物。
【請求項１０】
薬学的に許容される塩がメシレートである請求項９に記載の医薬組成物。
【請求項１１】
Ｒ（＋）−Ｎ−プロパルギル−１−アミノインダンメシレートの量が１日あたり１．５６ｍｇである請求項１０に記載の医薬組成物。
【請求項１２】
投与が、経口、非経口、直腸、または経皮のために製剤化された請求項１〜１１のいずれか１項に記載の医薬組成物。
【手続補正２】
【補正対象書類名】明細書
【補正対象項目名】００８４
【補正方法】変更
【補正の内容】
【００８４】
ラサギリン１ｍｇ／日は、進行性核上性麻痺を有する患者における歩行障害を低減するために、および姿勢の不安定を増強するために、安全かつ有効である。
以下に本願発明に実施態様を付加する。
１．進行性核上性麻痺に罹患しているヒト対象を治療する方法であって、対象を治療するために有効な量のＲ（＋）−Ｎ−プロパルギル−１−アミノインダンまたは薬学的に許容されるその塩を対象に投与することを含む方法。
２．進行性核上性麻痺に悩むヒト対象における進行性核上性麻痺の症状を軽減する方法であって、対象における進行性核上性麻痺の症状を軽減するために有効な量のＲ（＋）−Ｎ−プロパルギル−１−アミノインダンまたは薬学的に許容されるその塩を対象に投与することを含む方法。
３．進行性核上性麻痺の症状が、姿勢の不安定、頻繁な転倒、視力障害、言語障害、運動失調、嚥下障害、肺炎、またはうつである２に記載の方法。
４．Ｒ（＋）−Ｎ−プロパルギル−１−アミノインダンまたは薬学的に許容されるその塩の量が１日あたり０．０１ｍｇから２０ｍｇである１〜３のいずれか１項に記載の方法。５．Ｒ（＋）−Ｎ−プロパルギル−１−アミノインダンまたは薬学的に許容されるその塩の量が１日あたり０．５ｍｇから５ｍｇである４に記載の方法。
６．Ｒ（＋）−Ｎ−プロパルギル−１−アミノインダンまたは薬学的に許容されるその塩の量が１日あたり２ｍｇである４に記載の方法。
７．Ｒ（＋）−Ｎ−プロパルギル−１−アミノインダンまたは薬学的に許容されるその塩の量が１日あたり１ｍｇである請求項４に記載の方法。
８．Ｒ（＋）−Ｎ−プロパルギル−１−アミノインダンまたは薬学的に許容されるその塩の量が１日あたり０．５ｍｇである４に記載の方法。
９．投与が、Ｒ（＋）−Ｎ−プロパルギル−１−アミノインダンの薬学的に許容される塩の投与である１〜８のいずれかに記載の方法。
１０．薬学的に許容される塩が、エシレート、メシレート、硫酸塩、クエン酸塩、または酒石酸塩である９に記載の方法。
１１．薬学的に許容される塩がメシレートである１０に記載の方法。
１２．Ｒ（＋）−Ｎ−プロパルギル−１−アミノインダンメシレートの量が１日あたり１．５６ｍｇである１１に記載の方法。
１３．投与が、経口、非経口、直腸、または経皮である１〜１２のいずれかに記載の方法。
１４．進行性核上性麻痺の治療またはその症状の軽減において用いるための医薬組成物であって、治療有効量のＲ（＋）−Ｎ−プロパルギル−１−アミノインダンまたは薬学的に許容されるその塩と、薬学的に許容される担体とを含む組成物。
１５．進行性核上性麻痺の治療またはその症状の軽減のための、Ｒ（＋）−Ｎ−プロパルギル−１−アミノインダンまたは薬学的に許容されるその塩の使用。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2013507374.tif 000001
（Ｉ），
［式中、
Ａは、フェニルであり；
Ｒ1は、Ｃ4−Ｃ6アルコキシであり；
Ｒ2は、水素、Ｃ1−Ｃ3アルキルおよびハロから選択され；
Ｒ3は、
Ｃ1−Ｃ3アルキル；
ヘテロサイクリル；
ヒドロキシ−Ｃ1−Ｃ3アルキル；および
（ＮＲaＲb）−Ｃ1−Ｃ3アルキルから選択されるものであって；
ＲaおよびＲbは、
水素；
アミノ基で適宜置換されていてもよいＣ2−Ｃ6アルケニル；
アミノ基で適宜置換されていてもよいＣ1−Ｃ6アルキル；
シクロアルキルがアミノ基で適宜置換されていてもよいＣ3−Ｃ6シクロアルキル−Ｃ1−Ｃ3アルキル；
ヘテロサイクリル−Ｃ1−Ｃ3アルキル；
Ｒ6−Ｃ（Ｏ）−；（式中、Ｒ6は、
アルキルがＣ1−Ｃ3アルコキシまたはヒドロキシ基で適宜置換されていてもよいアミノ−Ｃ1−Ｃ6アルキル；
アミノ基で置換されているアリール；
アミノ基で置換されているＣ3−Ｃ6シクロアルキル基；
アルキル部分がアミノ基で置換されているＣ3−Ｃ6−シクロアルキル−Ｃ1−Ｃ3アルキル；
ヘテロサイクリル；および
アルキル部分がアミノ基で置換され、ヘテロサイクリル部分がＣ1−Ｃ3アルキル基で適宜置換されていてもよいヘテロサイクリル−Ｃ1−Ｃ3アルキル
から選択される）；ならびに
Ｒ7−Ｃ（Ｏ）−Ｃ1−Ｃ3アルキル；（式中、Ｒ7は、（ＣＨ3）2Ｎ−（ＣＨ2）2−ＮＨ−である）；
から各々独立して選択されるか、
あるいは、ＲaおよびＲbは、それらが結合している窒素原子と一緒になって、モルホリニルまたはピペラジニル環がＣ1−Ｃ3アルキルで適宜置換されていてもよいピペラジニル環を形成するもの
から選択され；
Ｒ4は、Ｃ1−Ｃ3アルキルおよびヒドロキシ−Ｃ1−Ｃ3アルキルから選択され；
Ｒ4’は、水素およびＣ1−Ｃ3アルキルから選択されるか；または
Ｒ4およびＲ4’は、それらが結合している炭素原子と一緒になって、Ｃ3−Ｃ6シクロアルキル環を形成し；ならびに
Ｒ5は、水素、Ｃ1−Ｃ3アルキルおよびハロから選択される］
の化合物またはその医薬的に許容される塩。
【請求項２】
Ｒ3が、Ｃ1−Ｃ3アルキルである、請求項１に記載の化合物またはその医薬的に許容される塩。
【請求項３】
Ｒ3が、ヘテロサイクリルである、請求項１に記載の化合物またはその医薬的に許容される塩。
【請求項４】
Ｒ3が、ヒドロキシ−Ｃ1−Ｃ3アルキルである、請求項１に記載の化合物またはその医薬的に許容される塩。
【請求項５】
Ｒ3が、（ＮＲaＲb）−Ｃ1−Ｃ3アルキルである、請求項１に記載の化合物またはその医薬的に許容される塩。
【請求項６】
式（ＩＩ）
【化２】
2013507374.tif 000002
（II），
［式中、
Ｒ1は、Ｃ4−Ｃ6アルコキシであり；
Ｒ3は、
ヒドロキシ−Ｃ1−Ｃ3アルキル；および
（ＮＲaＲb）−Ｃ1アルキルから選択されるものであって；
ＲaおよびＲbは、
水素；
Ｃ1−Ｃ5アルキル；
シクロアルキルがアミノ基で適宜置換されていてもよいＣ3−Ｃ5シクロアルキル−Ｃ1アルキル；
ヘテロサイクリル−Ｃ1アルキル；
Ｒ6−Ｃ（Ｏ）−；（式中、Ｒ6は、
アルキルがＣ1アルコキシ基で適宜置換されていてもよいアミノ−Ｃ1−Ｃ5アルキル；
アルキル部分がアミノ基で置換されているＣ3シクロアルキル−Ｃ2アルキル；
ヘテロサイクリル；および
アルキル部分がアミノ基で置換されているヘテロサイクリル−Ｃ2アルキル
から選択される）；
から各々独立して選択されるか；
あるいは、ＲaおよびＲbは、それらが結合している窒素原子と一緒になって、モルホリニルまたはピペラジニル環がＣ1−Ｃ3アルキルで置換されているピペラジニル環を形成し；ならびに
Ｒ4は、Ｃ1−Ｃ2アルキルおよびヒドロキシ−Ｃ1アルキルから選択される］
の化合物またはその医薬的に許容される塩。
【請求項７】
【化３】
2013507374.tif 000003
【化４】
2013507374.tif 000004
【化５】
2013507374.tif 000005
【化６】
2013507374.tif 000006
【化７】
2013507374.tif 000007
【化８】
2013507374.tif 000008
から選択される化合物またはその医薬的に許容される塩。
【請求項８】
請求項１に記載の化合物またはその医薬的に許容される塩および医薬的に許容される担体を含む、組成物。
【請求項９】
精神病、統合失調症の失認、感情障害、注意欠陥多動障害、薬物依存、パーキンソン病およびアルツハイマー病から選択される疾患の治療剤の製造における、請求項１〜７のいずれか１項に記載の化合物またはその医薬的に許容される塩の使用。
【請求項１０】
治療上の有効量の請求項１〜７のいずれか１項に記載の化合物を含む、精神病、統合失調症の失認、感情障害、注意欠陥多動障害、薬物依存、パーキンソン病およびアルツハイマー病から選択される疾患の治療剤。
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
少なくとも１つの生体不適合性材料を含む血液灌流フィルタを含む、患者の免疫系を活性化して疾患を治療するためのアフェレーシスシステムであり、
前記治療は、以下を含む：
（ａ）前記患者の血液が、該患者の身体に再び入る前に前記血液灌流フィルタを通過するように、該患者の血液循環を前記アフェレーシスシステムに接続すること；
（ｂ）前記患者の血液を前記アフェレーシス系に通して約１時間、循環させること；
（ｃ）前記患者の血液を前記アフェレーシス系に通して循環させている間、及び、その後少なくとも５時間、該患者を、全身麻酔をかけた状態に保つこと；及び
（ｄ）生理学的サポートを提供すること。
【請求項２】
前記疾患が悪性腫瘍である、請求項１に記載のアフェレーシスシステム。
【請求項３】
前記疾患が感染性疾患である、請求項１に記載のアフェレーシスシステム。
【請求項４】
前記感染性疾患が後天性免疫不全症候群（ＡＩＤＳ）又は肝炎である、請求項３に記載のアフェレーシスシステム。
【請求項５】
前記アフェレーシスシステムが、空気チャンバ及び／又は加温バッグを更に含む、請求項１に記載のアフェレーシスシステム。
【請求項６】
前記生体不適合性材料が、綿又は絹である、請求項１に記載のアフェレーシスシステム。
【請求項７】
前記綿が、エジプト綿、オーストラリア綿及びパキスタン綿から選択される、請求項６に記載のアフェレーシスシステム。
【請求項８】
前記絹が、日本絹及び広東絹から選択される、請求項６に記載のアフェレーシスシステム。
【請求項９】
前記生体不適合性材料が生体化されている（biolized）、請求項１に記載のアフェレーシスシステム。
【請求項１０】
前記生体不適合性材料がホルムアルデヒド又はグルタルアルデヒドを用いて生体化されている、請求項９に記載のアフェレーシスシステム。
【請求項１１】
前記患者がヒト患者である、請求項１に記載のアフェレーシスシステム。
【請求項１２】
前記患者が非ヒト動物である、請求項１に記載のアフェレーシスシステム。
【請求項１３】
前記全身麻酔がケタミンによるものである、請求項１に記載のアフェレーシスシステム。
【請求項１４】
前記生理学的サポートが、血圧の維持及び血液ガスレベルの維持の少なくとも１つから選ばれる、請求項１に記載のアフェレーシスシステム。
【請求項１５】
前記治療が、患者の血液を前記アフェレーシス系に通して循環させる前に、抗凝固薬を該患者へ投与することを更に含む、請求項１に記載のアフェレーシスシステム。
【請求項１６】
前記抗凝固薬がヘパリンである、請求項１５に記載のアフェレーシスシステム。
【請求項１７】
前記患者の血液が、約１００ｍｌ／分〜２００ｍｌ／分の速度で前記アフェレーシス系に通して循環される、請求項１に記載のアフェレーシスシステム。
【請求項１８】
患者における疾患を治療するための、
（ａ）少なくとも１つの生体不適合性材料を含む血液灌流フィルタを含むアフェレーシス系であって、患者の血液が該患者の身体に再び入る前に該血液灌流フィルタを通過することができるように、該患者の血液循環に接続される、アフェレーシス系、及び
（ｂ）前記アフェレーシス系の使用中、及び該使用後の少なくとも５時間、前記患者に麻酔をするための全身麻酔薬
の使用であって、前記アフェレーシス系の使用によって前記患者の免疫系が活性化されて、それにより前記疾患を治療する、使用。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2013507371.tif 000001
（Ｉ），
［式中、
ｎは、０または１であり；
Ａは、イミダゾリル；フェニル；ピラジニル；ピリミジニル；ピリジニル；およびチアゾリルから選択され；
Ｒ1は、
【化２】
2013507371.tif 000002
から選択されるものであって、
ここで、
【化３】
2013507371.tif 000003
は、親分子部分への結合点を表し；
Ｒ2は、水素；Ｃ1−Ｃ3アルキル；Ｃ3−Ｃ6シクロアルキル；およびＣ3−Ｃ6シクロアルキル−Ｃ1−Ｃ3アルキルから選択され；
Ｒ3は、水素；Ｃ1−Ｃ6アルキル；Ｃ1−Ｃ3アルコキシ−Ｃ1−Ｃ3アルキル；ヒドロキシ−Ｃ1−Ｃ3アルキルから選択されるか；
あるいは、Ｒ2およびＲ3は、それらが結合している原子と一緒になってピロリジン環を形成し；
Ｒ4は、水素；Ｃ1−Ｃ3アルキル；およびヒドロキシ−Ｃ1−Ｃ3アルキルから選択されるか；あるいは
Ｒ3およびＲ4は、それらが結合している炭素原子と一緒になってカルボニル基を形成するか、またはＣ3−Ｃ6シクロアルキル；テトラヒドロフリル；およびテトラヒドロピラニルから選択される環を形成し；
Ｒ5は、水素およびＣ1−Ｃ3アルキルから選択されるか；あるいは
Ｒ4およびＲ5は、それらが結合している炭素原子と一緒になってシクロペンチルまたはシクロヘキシル環を形成し；
Ｒ6は、水素；Ｃ1−Ｃ3アルコキシ；Ｃ1−Ｃ3アルキル；およびハロから選択され；ならびに
Ｒ7は、
Ｃ3−Ｃ6アルケニル；
Ｃ2−Ｃ6アルケニルオキシ；
Ｃ3−Ｃ6アルコキシ；
Ｃ1−Ｃ3アルコキシ−Ｃ2−Ｃ3アルキニル；
Ｃ1−Ｃ6アルキル；
Ｃ2−Ｃ6アルキニル；
Ｃ5−Ｃ6シクロアルケニル；
１または２個のＣ1−Ｃ3アルキル基で適宜置換されていてもよいＣ3−Ｃ6シクロアルキル；
シクロアルキルが１または２個のＣ1−Ｃ3アルキル基で適宜置換されていてもよいＣ3−Ｃ6シクロアルキル−Ｃ1−Ｃ3アルコキシ；
１または２個のＣ1−Ｃ3アルキル基で適宜置換されていてもよいＣ3−Ｃ7シクロアルキルオキシ；
ハロ；
Ｃ1−Ｃ3アルキル、ハロ−Ｃ1−Ｃ3アルキルおよびフェニルから独立して選択される１または２個の基で適宜置換されていてもよいヘテロサイクリル；
１または２個のハロ−Ｃ1−Ｃ3アルキル基で適宜置換されていてもよいヘテロサイクリルオキシ；
フェノキシ−Ｃ1−Ｃ3アルコキシ；
Ｃ1−Ｃ3アルコキシ、Ｃ1−Ｃ6アルコキシ−Ｃ1−Ｃ3アルキル、Ｃ1−Ｃ3アルコキシカルボニル、Ｃ1−Ｃ3アルコキシカルボニル−Ｃ1−Ｃ3アルキル、Ｃ1−Ｃ6アルキル、Ｃ1−Ｃ3アルキルスルファニル、Ｃ2−Ｃ6アルキニル、シアノ−Ｃ1−Ｃ3アルキル、ハロ、ハロ−Ｃ1−Ｃ3アルコキシ、−ＮＨ2、ならびにＣ1−Ｃ3アルコキシ−Ｃ1−Ｃ3アルキルおよびハロから独立して選択される１または２個の基で適宜置換されていてもよいフェノキシから独立して選択される１、２または３個の置換基で適宜置換されていてもよいフェニル；ただし、フェニルが置換される場合、最初の置換基はフェニル環上のパラ位であるものとし；
フェニルがＣ1−Ｃ3アルコキシ−Ｃ1−Ｃ3アルキルおよびハロから独立して選択される１または２個の基で適宜置換されていてもよいフェニル−Ｃ1−Ｃ3アルコキシ
；ならびに
Ｘ−Ｃ（Ｏ）−ＮＨ−；（式中、Ｘは、Ｃ1−Ｃ3アルコキシ；Ｃ1−Ｃ6アルキル；Ｃ3−Ｃ10シクロアルキル；およびＣ1−Ｃ6アルキルで適宜置換されていてもよいヘテロサイクリルから選択される）
から選択され；
Ｒ8は、水素；Ｃ1−Ｃ3アルキル；およびハロから選択され；ならびに
Ｒ9は、水素；Ｃ1−Ｃ3アルキル；およびハロから選択される］
の化合物またはその医薬的に許容される塩。
【請求項２】
Ｂがフェニルである、請求項１に記載の化合物。
【請求項３】
Ｂがピリジニルである、請求項１に記載の化合物。
【請求項４】
Ｂが、イミダゾリル；ピラジニル；ピリミジニル；およびチアゾリルから選択されるものである、請求項１に記載の化合物。
【請求項５】
式（ＩＩ）
【化４】
2013507371.tif 000004
（II），
［式中、
Ａは、ピラジニルおよびピリジニルから選択され；
Ｒ1は、
【化５】
2013507371.tif 000005
（式中、
【化６】
2013507371.tif 000006
は、親分子部分への結合点を表す）
から選択され； 
Ｒ3は、Ｃ4アルキルおよびＣ1アルコキシ−Ｃ2アルキルから選択され；
Ｒ4は、水素であるか；あるいは
Ｒ3およびＲ4は、それらが結合している炭素原子と一緒になってカルボニル基を形成するか、またはＣ5シクロアルキルおよびテトラヒドロピラニルから選択される環を形成し；
Ｒ6は、水素およびハロから選択され；ならびに
Ｒ7は、
Ｃ5アルキニル；
Ｃ3シクロアルキル；
Ｃ4シクロアルキル−Ｃ1アルコキシ；および
Ｃ3アルコキシ、Ｃ1アルコキシ−Ｃ1アルキル、Ｃ3アルキルおよびＣ2アルキニルから選択される１個の置換基で適宜置換されていてもよいフェニル；ただし、フェニルが置換される場合、置換基はフェニル環上のパラ位であるものとする
から選択される］
の化合物またはその医薬的に許容される塩。
【請求項６】
【化７】
2013507371.tif 000007
【化８】
2013507371.tif 000008
【化９】
2013507371.tif 000009
【化１０】
2013507371.tif 000010
から選択される化合物またはその医薬的に許容される塩。
【請求項７】
請求項１に記載の化合物またはその医薬的に許容される塩、および医薬的に許容される担体を含む組成物。
【請求項８】
精神病、統合失調症の失認、感情障害、注意欠陥多動障害、薬物依存、パーキンソン病およびアルツハイマー病から選択される疾患の治療剤の製造における、請求項１〜６のいずれか１項に記載の化合物またはその医薬的に許容される塩の使用。
【請求項９】
治療上の有効量の請求項１〜６のいずれか１項に記載の化合物を含む、精神病、統合失調症の失認、感情障害、注意欠陥多動障害、薬物依存、パーキンソン病およびアルツハイマー病から選択される疾患の治療剤。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
式：
【表１】
2013507377.tif 000001
【表２】
2013507377.tif 000002
【表３】
2013507377.tif 000003
【表４】
2013507377.tif 000004
で示される化合物またはその医薬的に許容し得る塩。
【請求項２】
式：
【表５】
2013507377.tif 000005
【表６】
2013507377.tif 000006
で示される化合物またはその医薬的に許容し得る塩。
【請求項３】
治療的有効量の１つ以上の請求項１もしくは２記載の化合物またはその医薬的に許容し得る塩および医薬的に許容し得る担体を含有する、ケモカインまたはケモカイン受容体の活性を調節するための医薬組成物。
【請求項４】
ケモカインまたはケモカイン受容体の活性がＣＣＲ−１またはＣＣＲ−１受容体の活性である、請求項３記載の医薬組成物。
【請求項５】
処置する疾患が、変形性関節症、動脈瘤、発熱、心臓血管の影響、クローン病、鬱血性心不全、自己免疫疾患、ＨＩＶ−感染症、ＨＩＶ−関連認知症、乾癬、特発性肺線維症、移植動脈硬化症、物理的若しくは化学的誘発性脳損傷、神経因性疼痛、炎症性腸疾患、肺胞炎、潰瘍性大腸炎、全身性エリテマトーデス、腎毒性血清腎炎、糸球体腎炎、喘息、多発性硬化症、アテローム性動脈硬化症、関節リウマチ、再狭窄、臓器移植、多発性骨髄腫、結腸直腸癌、肝細胞癌、および他の癌からなる群から選ばれる、請求項３記載の医薬組成物。
【請求項６】
処置する疾患が炎症性疾患である、請求項３記載の医薬組成物。
【請求項７】
更に、請求項１もしくは２記載の化合物が有用である疾患または病気の治療、予防、抑制または軽減に使用される１個以上の更なる化合物を含有する、請求項３記載の医薬組成物。
【請求項８】
１つ以上の請求項１もしくは２記載の化合物またはその医薬的に許容し得る塩、および請求項１もしくは２記載の化合物が有用である疾患または病気の治療、予防、抑制または軽減に使用される１個以上の更なる化合物の組み合わせを含有する、ケモカインまたはケモカイン受容体の活性を調節するための剤。
【請求項９】
請求項１もしくは２記載の化合物またはその医薬的に許容し得る塩が、該更なる化合物の前、後または同時に投与する、請求項８記載の剤。
【請求項１０】
ケモカインまたはケモカイン受容体の活性がＣＣＲ−１またはＣＣＲ−１受容体の活性である、請求項８記載の剤。
【請求項１１】
処置する疾患が、変形性関節症、動脈瘤、発熱、心臓血管の影響、クローン病、鬱血性心不全、自己免疫疾患、ＨＩＶ−感染症、ＨＩＶ−関連認知症、乾癬、特発性肺線維症、移植動脈硬化症、物理的若しくは化学的誘発性脳損傷、神経因性疼痛、炎症性腸疾患、肺胞炎、潰瘍性大腸炎、全身性エリテマトーデス、腎毒性血清腎炎、糸球体腎炎、喘息、多発性硬化症、アテローム性動脈硬化症、関節リウマチ、再狭窄、臓器移植、多発性骨髄腫、結腸直腸癌、肝細胞癌、および他の癌からなる群から選ばれる、請求項８記載の剤。
【請求項１２】
処置する疾患が炎症性疾患である、請求項８記載の剤。
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
以下の組成： 
（Ｂａ１−ｘＭｎｘ）Ｏ・ｚ（Ｔｉ１−ｙＭｍｙ）Ｏ２・Ｄｄ・Ｅｅ
〔式中、（Ｂａ１−ｘＭｎｘ）＝Ａ、および、（Ｔｉ１−ｙＭｍｙ）＝Ｂとする。
Ｍｎは、Ｍｇ、Ｃａ、Ｓｒ、Ｐｂおよびこれらの混合物から選択される少なくとも１つの元素を表す。
Ｍｍは、Ｓｎ、Ｚｒおよびこれらの混合物から選択される少なくとも１つの元素を表す。
Ｄは、ドナー特性を有する少なくとも１つの元素を表す。
Ｅは、アクセプタ特性を有する少なくとも１つの元素を表す。
および、パラメータに関しては、０≦ｘ≦０．６、０≦ｙ≦０．３５、０≦ｄ≦０．０２、０≦ｅ≦０．０２、１＜ｚである。
および、Ａに対するＢのモル比は、１＜Ｂ／Ａである。
前記セラミック材料は、Ｓｉをせいぜい不純物として含有する。〕
のセラミック材料。
【請求項２】
Ａに対するＢのモル比は、１．００５＜Ｂ／Ａ＜１．０５である、請求項１に記載のセラミック材料。
【請求項３】
Ｄは、Ｎｂ、Ｙ、Ｓｂまたはランタノイド系元素群のある元素ならびにこれらの混合物から選択される少なくとも１つの元素を表す、上記請求項のいずれか１項に記載のセラミック材料。
【請求項４】
ｄに関して、０＜ｄである、上記請求項のいずれか１項に記載のセラミック材料。
【請求項５】
Ｅは、Ｍｎ、Ｆｅ、Ｎｉ、Ｃｏ、Ｃｕおよびこれらの混合物から選択される少なくとも１つの元素を表す、上記請求項のいずれか１項に記載のセラミック材料。
【請求項６】
ｅに関して、０＜ｅである、上記請求項のいずれか１項に記載のセラミック材料。
【請求項７】
ｘに関して、０＜ｘである、上記請求項のいずれか１項に記載のセラミック材料。
【請求項８】
ｘに関して、０．１２＜ｘ＜０．４である、上記請求項のいずれか１項に記載のセラミック材料。
【請求項９】
ｙに関して、０＝ｙである、請求項１〜８のいずれか１項に記載のセラミック材料。
【請求項１０】
ｙに関して、０＜ｙ＜０．１である、請求項１〜８のいずれか１項に記載のセラミック材料。
【請求項１１】
Ｍｎは少なくとも部分的にＣａを表し、Ａの中におけるＣａの最低含有量は１０モル％である、上記請求項のいずれか１項に記載のセラミック材料。
【請求項１２】
前記セラミック材料は、Ｂ、Ｇｅ、Ｌｉ、ＫおよびＰをせいぜい不純物として含有する、上記請求項のいずれか１項に記載のセラミック材料。
【請求項１３】
請求項１〜１２のいずれか１項に記載のセラミック材料を有する正温度係数を備えた抵抗素子。
【請求項１４】
請求項１〜１２のいずれか１項に記載のセラミック材料の製造方法であって、
Ａ）相当の化学量論比で存在する出発材料Ｂａ、Ｍｎ、Ｔｉ、Ｍｍ、ＤおよびＥを、混合物が生じるように混合する工程と、
Ｂ）工程Ａ）から生じた混合物を、粒子が生じるように、粉砕する工程と、
Ｃ）工程Ｂ）から生じる粒子を焼成する工程と、
Ｄ）工程Ｃ）から生じる粒子を、スラリーが形成されるように、湿式粉砕する工程と、
Ｅ）工程Ｄ）から生じるスラリーを、顆粒が形成されるように、噴霧により顆粒化する工程と、
Ｆ）工程Ｅ）から生じる顆粒を、素地体が形成されるように、所望の形態に押圧する工程と、
Ｇ）工程Ｆ）から生じる素地体を、セラミック体が生じるように焼結する工程と
を含む方法。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
動物（ただし、ヒトを除く）のサルコペニアを予防又は治療する方法であって、サルコペニアを予防又は治療する量の少なくとも１種のイソフラボンを前記動物に投与するステップを含む方法。
【請求項２】
前記イソフラボンは、アグリコン、グルコシド、アセチルグルコシド及びマロニルグルコシドの形態のイソフラボンからなる群より選択される、請求項１に記載の方法。
【請求項３】
前記イソフラボンは、ビオカニンＡ、ダイゼイン、ダイジン、グリシテイン、ホルモノネチン、エコール、ゲニステイン、イリロン、ルテオン、プルネチン、プラテンセイン及びグリシチンからなる群より選択される、請求項１に記載の方法。
【請求項４】
前記イソフラボンは約５ｍｇ〜約５０００ｍｇの量前記動物に投与される、請求項１に記載の方法。
【請求項５】
前記イソフラボンは前記動物に定期的に投与される、請求項１に記載の方法。
【請求項６】
前記イソフラボンは約０．００１〜約１０ｇ／ｋｇ／日の量前記動物に投与される、請求項５に記載の方法。
【請求項７】
前記動物は加齢動物である、請求項１に記載の方法。
【請求項８】
前記イソフラボンは栄養補助食品として投与される、請求項１に記載の方法。
【請求項９】
前記イソフラボンは食品組成物の形で投与される、請求項１に記載の方法。
【請求項１０】
前記食品組成物は、前記動物に対して完全でバランスのとれた栄養をもたらすように配合される、請求項９に記載の方法。
【請求項１１】
前記動物は加齢動物である、請求項１０に記載の方法。
【請求項１２】
動物（ただし、ヒトを除く）の筋萎縮症を予防又は治療する方法であって、筋萎縮症を予防又は治療する量の少なくとも１種のイソフラボンを前記動物に投与するステップを含む方法。
【請求項１３】
前記イソフラボンは、アグリコン、グルコシド、アセチルグルコシド及びマロニルグルコシドの形態のイソフラボンからなる群より選択される、請求項１２に記載の方法。
【請求項１４】
前記イソフラボンは、ビオカニンＡ、ダイゼイン、ダイジン、グリシテイン、ホルモノネチン、エコール、ゲニステイン、イリロン、ルテオン、プルネチン、プラテンセイン及びグリシチンからなる群より選択される、請求項１２に記載の方法。
【請求項１５】
前記イソフラボンは約５ｍｇ〜約５０００ｍｇの量前記動物に投与される、請求項１２に記載の方法。
【請求項１６】
前記イソフラボンは前記動物に定期的に投与される、請求項１２に記載の方法。
【請求項１７】
前記イソフラボンは約０．００１〜約１０ｇ／ｋｇ／日の量前記動物に投与される、請求項１６に記載の方法。
【請求項１８】
前記イソフラボンは栄養補助食品として投与される、請求項１２に記載の方法。
【請求項１９】
前記イソフラボンは食品組成物の形で投与される、請求項１２に記載の方法。
【請求項２０】
パッケージであって、該パッケージは、少なくとも１種のイソフラボンと、該パッケージに貼られたラベルと、を含み、該ラベルは、動物の（１）サルコペニアの予防若しくは治療又は（２）サルコペニア又は筋萎縮症の予防若しくは治療に関する有益な特性を有するイソフラボンが該パッケージ内に含まれることを示す単語、絵、図案、頭字語、キャッチフレーズ、語句又は他の手段又はそれらの組み合わせを有する、パッケージ。